(57)【要約】【課題】装置の信頼性を目的とした回路やバッテリーパワーを使用せずに、強磁界の強さを検出可能で較正が容易な装置のための技術が必要である。【解決手段】ある対象物の磁界の強さを検出するための検出装置は、中心部を有するハウジングと、第１の端部および検出端部を備える。永久磁石部は第１の磁界強度および指示部を有するハウジングの中心部の上に吊り下げられる。バイアス永久磁石部はハウジングの第１の端部に配置され、第１の端部方向に指示部を付勢するための第２の磁界強度を持つ。第１の距離は永久磁石部とバイアス永久磁石部との間であり、閾値磁界強度は第１の磁界強度、第２の磁界強度および第１の距離から決定される。したがって、対象物が検出端部に近接していたり対象物の磁界強度が閾値磁界強度よりも強かったりする場合には、指示部が検出端部方向に回転する。【選択図】図１
2006284588.tif 000002
【特許請求の範囲】
【請求項１】
対象物の磁界強度を検出する検出装置において、
中心、第１の端部、および検出端部を有するハウジングと、
前記ハウジングの前記中心の上に前記中心の周りを回転自在に吊り下げられた永久磁石部であって、第１の磁界強度と、指示部とを具備する、永久磁石部と、
前記ハウジングの前記第１の端部に配置されたバイアス永久磁石部であって、前記指示部を前記第１の方向に付勢する第２の磁界強度を具備する、バイアス永久磁石部と、
前記永久磁石部と前記バイアス永久磁石部との間の第１の距離と、
前記第１の磁界強度、前記第２の磁界強度、および前記第１の距離から決定されている閾値磁界強度であって、１０ガウス以上である閾値磁界強度と、
を有し、
前記対象物が前記検出端部に近接し、かつ前記対象物の前記磁界強度が前記閾値磁界強度より強い場合、前記指示部が前記検出端部の方向へ回転する、検出装置。
【請求項２】
請求項１に記載の検出装置において、
前記第１の端部および前記検出端部は、前記ハウジングの上で互いにほぼ直交して配置される、検出装置
【請求項３】
請求項１に記載の検出装置において、
前記第２の磁界強度は前記閾値磁界強度以下である、検出装置。
【請求項４】
請求項１に記載の検出装置において、
前記第１の距離が一定である、検出装置。
【請求項５】
請求項１に記載の検出装置において、
前記永久磁石部と前記検出端部との間に第２の距離をさらに備え、前記第２の距離は前記第１の距離とほぼ等しい、検出装置。
【請求項６】
請求項１に記載の検出装置において、
前記第２の距離は、医療機器が患者に埋め込まれた深さとほぼ等しい、検出装置。
【請求項７】
請求項１に記載の検出装置において、
前記第１の端部と前記検出端部との間に配置された前記ハウジングの上の中間マーカーと、
前記第１の磁界強度、前記第２の磁界強度および前期第１の距離とから決定される第２の閾値磁界強度であって、前記閾値磁界強度より弱い、第２の閾値磁界強度と、
をさらに備え、
第２の対象物が前記検出端部に近接し、かつ前記第２の対象物の磁界強度が前記第２の閾値磁界強度より強い場合、前記指示部が前記中間マーカーの方向に回転する、
検出装置。
【請求項８】
対象物の磁界の強度を検出する検出装置において、
中心、第１の端部、検出端部、および表示窓を有するハウジングと、
前記ハウジングの前記中心の上に前記中心の周りを回転自在に吊り下げられた永久磁石部であって、第１の磁界強度と、指示部とを具備する、永久磁石部と、
前記ハウジングの前記第１の端部に配置されたバイアス永久磁石部であって、前記指示部を前記第１の方向に付勢する第２の磁界強度を具備する、バイアス永久磁石部と、
前記永久磁石部と前記バイアス永久磁石部との間の第１の距離と、
前記第１の磁界強度、前記第２の磁界強度および前記第１の距離から決定されている閾値磁界強度であって、１０ガウス以上である閾値磁界強度と、を有し、
前記対象物が前記検出端部に近接し、かつ前記対象物の前記磁界強度が前記閾値磁界強度より強い場合、前記指示部が前記検出端部の方向へ回転し、前記指示部は前記表示窓に表示される、検出装置。
【請求項９】
対象物の磁界の強度を検出する検出方法において、
ハウジングにバイアス永久磁石部を配置する工程と、
前記ハウジング内に永久磁石部を回転自在に吊り下げる工程と、
前記永久磁石部を前記バイアス永久磁石部の方向に付勢する工程と、
閾値磁界強度を決定する工程と、
前記ハウジングを前記対象物の近傍に置く工程と、
前記吊り下げられた永久磁石部の前記対象物の方向への振れを判断する工程と、を具備する、検出方法。
【請求項１０】
請求項９に記載の検出方法において、
前記閾値磁界強度を決定する工程が、
前記永久磁石部の第１の磁界強度を決定する工程と、
前記バイアス永久磁石部の第２の磁界強度を決定する工程と、
前記バイアス永久磁石部と前記永久磁石部との間の第１の距離を決定する工程と、
前記永久磁石部と前記ハウジングの検出端部との間の第２の距離を決定する工程と、を具備する、
検出方法。
【発明の詳細な説明】
【開示の内容】
【０００１】
〔発明の分野〕
埋込型の医療機器に影響する対象物の磁界強度を検出するために使用する検出器。
【０００２】
〔発明の背景〕
今日の医療機器の技術により、患者の体内に埋め込み可能な多くの機器が提供されている。この埋込型機器は患者の容態を監視し、身体機能を調整し、および／または、患者への投薬を管理する。埋込型機器の例としては、ペースメーカーや投薬ポンプがある。例えばポンプのような機器の設定変更は、機器の埋め込み後もしばしば必要となる。そのための方法の１つとして、機器の取り外しを必要としない磁気によるスイッチ開閉方法への用途がある。そのスイッチは、例えばポンプのバルブを開閉する磁界に応答する。このような変更を可能にするため、医療従事者たちはこの埋込型機器に特定の強さの磁石を設置する。設定変更に必要な磁界強度は地球磁場の０．３から０．６ガウスよりかなり大きい。
【０００３】
磁気スイッチ技術はこの埋込型機器の設定変更には簡単で効果的な方法だが、いくつかの欠点もある。多くの市販商品には、この設定を変更させてしまったり、また埋込型機器の動作に悪影響を与えたりする強い磁石を含むものがある。したがって、患者は知らないうちにこれらの製品による磁界と交錯してしまい、埋込型機器の動作を変えないとも限らない。携帯電話、スピーカー、小児用玩具のような一般の機器は全て埋込型機器の動作を変えそうな近距離では十分に強い磁石を備えている。現在のところ、このような製品が埋込型機器の動作を変える強い磁界を持つものか否かを、患者が簡単に素早く判断する余地がない。
【０００４】
弱い磁界を検出できる従来技術は多い。ホア（Hoare）に付与された米国特許第２，１２３，０４５号は、地面や壁に埋め込まれた金属パイプの位置を割り出すための弱い磁界を検出するものである。ホア特許では、地球磁場を補償するために１つ以上の通常の方位磁石および／もしくは棒磁石をその磁針に近接して使用する。ホアの装置の利用者は、その装置を弱い磁場質量と思われる位置にかざして磁針の振れを見なければならない。磁針のわずかな振れは使用者が弱い磁場質量の近くにいることを示唆しており、大きく振れる位置は磁場質量が在り得る場所であることを示す。しかしながら、ホアの装置は使用者に磁界の強さを警告するのではなく、磁界の位置を教えるよう設計されているだけである。ホアは特定の強さの磁界ではなく微弱な磁界を探しているので、地球磁場に対して補償を行なっている。
【０００５】
ミューレン（Mullen）に付与された米国特許第３，３４９，３２３号は、一方が永久磁石から、他方が電磁石からの２つの磁界によって付勢されるリードスイッチの使用を開示している。この電磁石は、リードスイッチの近傍もしくは周辺に位置するコイルに磁界を発生させるために用いる電流で動作する。このコイルによって発生した電界は、永久磁場で生じている磁界に対抗するように設計されており、スイッチを開かせ続けるように動作するが、永久磁場はこれを閉じようと付勢する。ミューレンの装置は磁気の源に迫るものなので、スイッチが様々な周波数で開閉動作し、この磁気の源が永久磁場や電磁界に打ち勝つか否かに左右されるものである。この装置はスイッチの開閉動作を感知し、その動作の周波数がその強さや位置の表れである。しかしながら、この装置は複雑で、バッテリーやスイッチ、そしてこのスイッチの小さな動作を検出するミリアンペアメーターなどの電磁気回路を必要とする。永久磁石の磁界、スイッチの磁気抵抗、および電磁界を形成するコイルと交差する力、およびこれら３者間の距離、を適合させるので、この装置の較正は困難である。さらに、この装置は、電力で作動するので、装置の較正を変えてしまう出力スパイクや伏角が原因となって信頼性がない。
【０００６】
したがって、装置の信頼性を目的とした回路やバッテリーパワーを使用せずに、強磁界の強さを検出可能で較正が容易な装置のための技術が必要である。
【０００７】
〔発明の概要〕
検出装置は、埋込型の医療装置に影響を与えてしまう物の磁界強度を検出するために用いられる。埋込型医療装置はおよそ５ガウスかそれ以上の磁界強度で影響を受ける。今日の電子機器、特に永久磁石を内蔵する、例えば携帯電話やスピーカーは磁界を形成おり、近くに寄ると埋込型の装置に影響を与えてしまう。
【０００８】
この検出装置は、中心部を有するハウジング、第１の端部および検出端部を有する。第１の磁界強度を有する永久磁石部は、このハウジングの中心の上部に浮遊状態に置かれる。ハウジングは空気、不活性気体もしくは液体などを有し、永久磁石部をその中心で自由に回転可能にする。永久磁石部はさらに指示部を備え、上部に着色模様、点もしくはその他の特徴によりデザインされ、患者は永久磁石が示す方向を判断することができる。検出装置はまた第２の磁気強度を有するバイアス永久磁石部をハウジングの第１の端部に備える。これら２つの磁石の間で生じる磁界強度は地球磁場より大きいので、第１の端部の方向に指示部が付勢される。これら永久磁石部およびバイアス永久磁石は、磁界発生に両方ともに電気ではなく永久磁石材料で形成される。検出装置はまた永久磁石部とバイアス永久磁石部の間に第１の距離を有する。閾値磁界強度は第１の磁界強度、第２の磁界強度および第１の距離で決定される。したがって、この２つの永久磁石とこれらの間の距離は、指示部を新しい磁界の方向に移動させるために必要な磁界の大きさを決定付ける。好ましくは、これらの磁界強度が埋込型の装置に影響する磁界強度より小さい場合に、検出装置の閾値磁界強度を対象物の磁界強度を検出するように設定することを可能とする。
【０００９】
ある対象物の磁界強度がこの閾値磁界強度よりも小さいなら、永久磁石部は対象物の磁界に著しく引き込まれることはなく、むしろ指示部は第１の端部の方向へ優勢に付勢されたままである。このことは、対象物の磁界強度が埋込型医療機器の設定（閾値磁界強度）を変更するために必要な磁界強度よりも弱いことを示す。
【００１０】
この対象物の磁界強度がこの閾値磁界強度よりも大きいなら、永久磁石部は対象物の磁界に十分に影響を受け、指示部は検出端部の方向に旋回する。回転の程度、即ち対象物の磁界強度が永久磁石部に影響する程度は、２値の結果（「はい」か「いいえ」）ではない。永久磁石部の位置は、何からも影響されない場合に、均衡点に関して対象物の磁界強度の大きさと相関関係をなしてもよい。また、装置の物理的設計およびアートワークによって、このアナログの感応を２値の結果に変換することが可能である。
【００１１】
例えばこの永久磁石部は、白と黒など反対色の対照を有する四象限と、ハウジングの可動式の永久磁石部の上に置かれた小さな窓を持つ一定の目隠し部とを持ったディスクに固定してもよい。患者はこの窓を見て対象物の磁界強度が閾値を超えているか否かを判断することができる。窓が白から黒に変われば、閾値磁界強度に達したことを示し、患者に他ならぬその対象物を避けるよう警告することを意味する。
【００１２】
別の方法として、ハウジングの周囲に増分目盛を付け、対象磁界に応じた永久磁石部の回転を目盛に応じて較正してもよい。この特定の態様は、選択された閾値に限定されるものではなく、２値結果に対抗させるものとして解釈可能な測定を提供するものである。この実施例においては、永久磁石部の位置が対象物の磁界強度の大きさと相関関係を持たせるようにすることが可能である。
【００１３】
本発明の上記説明と、更なる対象、特徴および利点は、特に、多くの態様において同様な要素に同様な参照番号を用いる添付の図面と関連させると、以下に示す特定の実施例の詳細な説明を考慮することで明確となる。
【００１４】
〔発明の詳細な説明〕
図１から図４において、対象物１０の磁界強度を検知する検出装置１００を示す。検出装置１００は、埋込型医療機器（図示せず）に影響を与える対象物１０の磁界強度を検出するために用いられる。代表的な埋込型医療機器は、およそ５ガウスもしくはそれ以上の磁界強度で影響を受ける。しかしながら、今日の消費財、例えば携帯電話、スピーカーおよび小児用玩具は、近距離にあれば埋込型機器に影響する磁界を持っている。磁界強度はその源からの距離の増加により、その作用は減衰する。しかしながら、埋込型機器から少し離れていて埋込型機器の設定を変更させない携帯電話でも、その埋込型機器と並列した位置関係にあるならば、ある影響を誘発させる可能性がある。
【００１５】
検出装置１００は、中心１０４を持つハウジング１０２、第１の端部１０６および検出端部１０８を有する。第１の磁界強度を持つ永久磁石部１１０は、ハウジング１０２の中心１０４の上部に吊り下げられる。ハウジング１０２は空気、不活性気体もしくは液体を有することができ、永久磁石部１１０をその中心１０４で自由に回転可能にする。永久磁石部１１０は通常、基本的に摩擦のない回転を可能にするため、中心１０４において針１１２の上でバランスを取る。永久磁石部１１０はさらに指示部１１４を備え、指示部１１４は永久磁石部１１０の上部に着色模様、点もしくはその他の特徴の形態で存在し、それによって患者は永久磁石１１０の示す方向を判断することができる。検出装置１００はまた第２の磁気強度を有するバイアス永久磁石部１１６をハウジング１０２の第１の端部１０６に備える。これら２つの磁石１１０および１１６の間で生じる磁界強度は地球磁場より大きいので、第１の端部１０６の方向に指示部１１４が付勢される。バイアス永久磁石部１１６が存在しなければ、永久磁石１１０は地球磁場によって付勢される。言い換えれば、永久磁石部１１０およびバイアス永久磁石部１１６は、磁気的に結合され、対象物１０は永久磁石部１１０と磁気的に結合する。この結合の効力によって、永久磁石１１０はバイアス永久磁石部１１６および対象物１０のどちらか一方に影響される。
【００１６】
これら永久磁石部１１０およびバイアス永久磁石１１６は、両方ともに永久磁石材料で形成される。したがって、磁石１１０および１１６の磁界発生には電気は用いない。この磁石材料は、例えば強磁性体（スチール）、AlNiCo（アルミニウム、ニッケル、コバルト）、結合材（いろいろな磁気粉を混合した熱可塑性エラストマーおよび熱可塑性プラスチック樹脂）、ハードフェライト（セラミック）、ネオジム−鉄−ボロン（NdFeB）、およびサマリウムコバルト（SmCo5およびSm2Co17）である。
【００１７】
検出装置はまた永久磁石部１１０とバイアス永久磁石部１１６の間に第１の距離１１８を有する。閾値磁界強度は第１の磁界強度、第２の磁界強度、第１の距離１１８および検出端部１０８の位置で決定される。したがって、この２つの永久磁石１１０および１１６の強さ（極の配向性の影響を含む）、これらの間の距離、および検出端部１０８の位置は、その閾値に達したことを示す１０８で示される領域の方向に指示部１１４を移動させるために必要な磁界の大きさを決定付ける。埋込型機器はおよそ５ガウスの磁界に反応する。この実施例において、検出装置１００は、閾値として８０ガウス程度の磁界を検出するための較正が可能である。しかしながら、この閾値磁界強度は、許容誤差の余裕を考慮して小さく設定してもよい。好ましくは、これらの磁界強度が埋込型の装置に影響する磁界強度より小さい場合に、検出装置が対象物の磁界強度を検出するように設定することが可能である。したがって閾値磁界強度は、埋込型機器にもよるが、およそ５ガウスから１２０ガウスもしくはそれ以上でならどれでも設定可能である。最小磁束密度の範囲としては、約１、約５、約１０、約１５、約２０、約２５、約３５、約４０、約４５、約５０、約５５、約６０、約６５、約７０、約７５、および約８０ガウスである。最大磁束密度の範囲は、約８５、約９０、約９５、約１００、約１０５、約１１０、約１１５、および約１２０ガウスもしくはそれ以上である。
【００１８】
検出装置１００を使用するため、対象物１０を検出端部１０８の上もしくは近くに置く。対象物１０の磁界強度が閾値磁界強度より小さければ、閾値に合ったかあるいは超えたかを指示器が示すのに十分な程度には、永久磁石部１１０が対象物１０の磁界へ引き込まれることはなく、むしろ指示部１１４は第１の端部１０６の方向へ付勢されたままである。このことは、対象物１０の磁界強度が埋込型医療機器の動作を変えるために必要な磁界強度よりも弱いことを患者に示し、患者にとって対象物１０に接近したり使用したりすることが安全であることを意味する。
【００１９】
しかしながら、対象物の磁界強度がこの閾値磁界強度よりも大きいなら、永久磁石部１１０は対象物の磁界に十分に影響を受け、指示部１１４は検出端部１０８の印の中に旋回する。このことは、対象物１０が埋込型医療機器の動作を変更してしまうほど十分に強い磁界を形成することを患者に示し、対象物１０への接近や使用が患者にとって安全ではないこと、例えば危険状態であることを示すものである。
【００２０】
永久磁石部１１０と検出端１０８もしくは対象物１０との間の第２の距離１２０はまた、両方の例として、対象物１０の磁界強度の計算成分でもある。磁界強度は磁石の強度と磁界の影響する場所までの距離との関数なので、検出装置の較正や閾値磁界強度の選択で変わる多くの変数がある。以下は、検出装置の較正に考慮する要素である。
A  第１の磁界強度が増加すると、閾値磁界強度は減少する（バイアス永久磁石部１１６はより弱い効果）。
B  第２の磁界強度が増加すると、閾値磁界強度は増加する（バイアス永久磁石部１１６はより強い効果）。
C  第１の距離１１８が増加すると、閾値磁界強度は減少する（バイアス永久磁石部１１６はより弱い効果）。
D  第２の距離１２０が増加すると、閾値磁界強度は増加する（対象物の磁界強度はより弱い効果）。
【００２１】
通常、永久磁石部１１０およびバイアス永久磁石部１１６は、磁石部１１０および１１６の大きさと使用する材料を前提として、既知で固定された磁界強度を有する。検出装置のハウジング１０２は一般的に、患者にとって快適で使い易い一定の大きさを有し、これが第２の距離１２０を決定する。したがって、１つの実施例として、検出装置の較正は永久磁石部１１０およびバイアス永久磁石部１１６の間の第１の距離１１８を変えることにより行われる。別の実施例において、検出端部１０８を示すマーカー１０８ａは移動可能で、磁石１１０および１１６を較正する代わりにそれぞれの検出装置１００のデザインを変更するようにしてもよい。その他の実施例は、医療機器の標準的な埋め込みの深さを考慮し、深さに対する第２の距離を決めることができる。検出装置は第１の端部１０６および検出端部１０８がハウジング１０２の上で互いにほぼ直角をなすようにしてもよい。
【００２２】
また、図２に示す別の実施例の検出装置１００においては、複数の医療機器のための閾値磁界強度を決定可能にできる。複数の検出器２００は、第１の端部１０６と検出端部１０８の間に位置するハウジング１０２の上に中間マーカー１２２を備えていてもよい。複数の検出装置２００はさらに、閾値磁界よりも弱い第２の閾値磁界を有することが可能である。第２の対象物が検出端部の近傍にあり、第２の対象物の磁界強度が第２の閾値磁界強度よりも強く、閾値磁界強度よりも弱い場合、指示部１１４は中間マーカー１２２に向けて回転する。さらに他の実施例において、検出端部１０８のマーカー１０８ａおよび中間マーカー１２２は、永久磁石部１１０が１つもしくは２つの度数を上げる回転を生じるようないくらかの最小の磁束密度から閾値までの数字目盛を付けることができる。
【００２３】
図４は２値タイプの検出装置３００を示す。二値タイプの検出装置３００は、患者に「はい」か「いいえ」の答えのみで対象物の磁界強度を表示するように設計されている。永久磁石部３１０はディスク状の構成要素に配置されている、もしくはディスク状の構成要素として形成されている。指示部３１４は交互に４象限に色分けされたディスクとすることができる。１色は対象物の安全な磁界強度３１４ａを示し、他色は危険な磁界強度３１４ｂを示す（例として、白と黒、緑と赤など）。他の実施例では、安全か危険かを示すためにシンボルやテキストの使用も可能である。表示窓３２４は指示部１１４の一部を表示するだけであり、表示窓３２４内の色の変化が対象物の相対的な磁界強度を示す。
【００２４】
上記の較正パラメータに加えて、閾値を超えた場合に表示するディスク上の指示部１１４や窓３２４の位置も様々である。永久磁石部３１０が回転して指示部１１４が閾値を示すようにする角度は、この表示窓３２４に相対する位置によって決められる。
【００２５】
さらに、上記のアナログタイプの実施例のために、検出端部１０８の位置は装置に適合するように変更可能であり、較正パラメータが選択された後、永久磁石部１１０が回転する大きさの意味が検出端部１０８の近傍にあるマーカー１０８ａで表示される。
【００２６】
図５は、対象物の磁界強度を検出する方法のフローチャートを示す。この方法は、バイアス永久磁石部１１６をハウジング１０２に配置する工程（ステップ４００）と、永久磁石部１１０をハウジング１０２に回転自在に吊るす工程（ステップ４０２）とを有する。この永久磁石部１１０はバイアス永久磁石部１１６の方向に付勢され（ステップ４０４）、その閾値磁界強度が決定される（ステップ４０６）。ハウジング１０２は、対象物１０の近傍に置かれ（ステップ４０８）、吊り下げられた永久磁石部１１０の対象物方向の振れが決定される（ステップ４１０）。永久磁石部１１０の振れは、上記したように、患者の対象物の磁界による危険性を判断する。
【００２７】
他の実施例において、閾値磁界強度を判断する方法は、永久磁石部１１０の第１の磁界強度を決定する工程（ステップ４１２）と、バイアス永久磁石部１１６の第２の磁界強度を決定する工程（ステップ４１４）とを有する。さらに、バイアス永久磁石部１１６と永久磁石部１１０の間の第１の距離１１８が決定され（ステップ４１６）、永久磁石部１１０と検出端部１０８の間の第２の距離が決定される（ステップ４１８）。上述のごとく、上記の要素部の連携で装置１００が較正され、装置が検出する閾値磁界強度を決定する。
【００２８】
より好ましい実施例に応用するものとして本発明の基本的な新しい特徴をここに記述し、示し、また指摘をしたが、本発明の精神およびその範囲を逸脱することなしに、本装置の形状やその細部またはその動作において数多くの省略、置き換え、そして変更などがあるものと理解すべきである。例えば、同じ結果を得る実質的に同一の方法での実質的に同一な機能を果たすこれらの要素および／もしくは工程の全ての組み合わせは、本発明の範囲内にあることを明確に表すものである。一つの記述された実施例から別の実施例への転換は、その全てに対してもその転換を表しまたそれを意図するものである。また図面はその大きさを示す必要性はないものであるが、本質における概念を表すものと理解するものでもある。
【００２９】
〔実施の態様〕
（１）対象物の磁界強度を検出する検出装置において、
中心、第１の端部、および検出端部を有するハウジングと、
前記ハウジングの前記中心の上に前記中心の周りを回転自在に吊り下げられた永久磁石部であって、第１の磁界強度と、指示部とを具備する、永久磁石部と、
前記ハウジングの前記第１の端部に配置されたバイアス永久磁石部であって、前記指示部を前記第１の方向に付勢する第２の磁界強度を具備する、バイアス永久磁石部と、
前記永久磁石部と前記バイアス永久磁石部との間の第１の距離と、
前記第１の磁界強度、前記第２の磁界強度および前記第１の距離から決定されている閾値磁界強度であって、１０ガウス以上である閾値磁界強度と、を有し、
前記対象物が前記検出端部に近接し、かつ前記対象物の前記磁界強度が前記閾値磁界強度より強い場合、前記指示部が前記検出端部の方向へ回転する、検出装置。
（２）実施態様１に記載の検出装置において、
前記第１の端部および前記検出端部は、前記ハウジングの上で互いにほぼ直交して配置される、検出装置
（３）実施態様１に記載の検出装置において、
前記第２の磁界強度は前記閾値磁界強度以下である、検出装置。
（４）実施態様１に記載の検出装置において、
前記第１の距離が一定である、検出装置。
（５）実施態様１に記載の検出装置において、
前記永久磁石部と前記検出端部との間に第２の距離をさらに備え、前記第２の距離は前記第１の距離とほぼ等しい、検出装置。
【００３０】
（６）実施態様１に記載の検出装置において、
前記第２の距離は、医療機器が患者に埋め込まれた深さとほぼ等しい、検出装置。
（７）実施態様１に記載の検出装置において、
前記第１の端部と前記検出端部との間に配置された前記ハウジングの上の中間マーカーと、
前記第１の磁界強度、前記第２の磁界強度および前期第１の距離とから決定される第２の閾値磁界強度であって、前記閾値磁界強度より弱い、第２の閾値磁界強度と、をさらに備え、
第２の対象物が前記検出端部に近接し、かつ前記第２の対象物の磁界強度が前記第２の閾値磁界強度より強い場合、前記指示部が前記中間マーカーの方向に回転する、検出装置。
（８）対象物の磁界の強度を検出する検出装置において、
中心、第１の端部、検出端部および表示窓を有するハウジングと、
前記ハウジングの前記中心の上に前記中心の周りを回転自在に吊り下げられた永久磁石部であって、第１の磁界強度と、指示部とを具備する、永久磁石部と、
前記ハウジングの前記第１の端部に配置されたバイアス永久磁石部であって、前記指示部を前記第１の方向に付勢する第２の磁界強度を具備する、バイアス永久磁石部と、
前記永久磁石部と前記バイアス永久磁石部との間の第１の距離と、
前記第１の磁界強度、前記第２の磁界強度および前記第１の距離から決定されている閾値磁界強度であって、１０ガウス以上である閾値磁界強度と、を有し、
前記対象物が前記検出端部に近接し、かつ前記対象物の前記磁界強度が前記閾値磁界強度より強い場合、前記指示部が前記検出端部の方向へ回転し、前記指示部は前記表示窓に表示される、検出装置。
（９）対象物の磁界の強度を検出する検出方法において、
ハウジングにバイアス永久磁石部を配置する工程と、
前記ハウジング内に永久磁石部を回転自在に吊り下げる工程と、
前記永久磁石部を前記バイアス永久磁石部の方向に付勢する工程と、
閾値磁界強度を決定する工程と、
前記ハウジングを前記対象物の近傍に置く工程と、
前記吊り下げられた永久磁石部の前記対象物の方向への振れを判断する工程と、を具備する、検出方法。
（１０）実施態様９に記載の検出方法において、
前記閾値磁界強度を決定する工程が、
前記永久磁石部の第１の磁界強度を決定する工程と、
前記バイアス永久磁石部の第２の磁界強度を決定する工程と、
前記バイアス永久磁石部と前記永久磁石部との間の第１の距離を決定する工程と、
前記永久磁石部と前記ハウジングの検出端部との間の第２の距離を決定する工程、とを具備する、検出方法。
【図面の簡単な説明】
【００３１】
【図１】本発明のバイアス磁界強度表示器と対象物の上面斜視図である。
【図２】本発明の実施例によるバイアス磁界強度表示器の上面図である。
【図３】図２の本発明のバイアス磁界強度表示器における断面線３−３の断面図である。
【図４】本発明のバイアス磁界強度表示器の実施例における切取内部図の上面図である。
【図５】本発明の方法のフローチャートである。
【図１】
2006284588.tif 000003
【図２】
2006284588.tif 000004
【図３】
2006284588.tif 000005
【図４】
2006284588.tif 000006
【図５】
2006284588.tif 000007
【外国語明細書】
2006284588000001.pdf